(57)【要約】【課題】  遊技球の挙動に対して遊技者の興味を惹き付け易くして、遊技球の挙動を観る楽しみを遊技者に与えることが出来る、新規な構造のパチンコ機を提供することを、目的とする。【解決手段】  可動部材７２が一方の揺動端に位置せしめられた状態で発現せしめられる誘導通路１０９によって遊技領域３０を流下する遊技球が画面前方流下領域７０へと誘導されてくるようにする一方、可動部材７２が他方の揺動端に位置せしめられた状態で誘導通路１０９が実質的に消失せしめられて、遊技領域３０を流下する遊技球の画面前方流下領域７０への誘導が阻止されるようにした。【選択図】      図６
2006296577.tif 000002
【特許請求の範囲】
【請求項１】
遊技者により発射せしめられた遊技球が流下する遊技領域と、
該遊技領域において遊技者に視認可能に設けられて、遊技状況に応じた演出表示を行なう演出表示装置と、
該演出表示装置の表示画面の前方に配された第一の透明板と、
該第一の透明板の前方に配されて、該第一の透明板との間において前記演出表示装置の表示画面の前方で遊技球が流下せしめられる画面前方流下領域を形成する第二の透明板と、
前記画面前方流下領域に設けられて、該画面前方流下領域を流下する遊技球の流下方向を変化せしめる障害部材と、
一軸回りに揺動可能に設けられて、一方の揺動端において前記遊技領域を流下する遊技球を前記画面前方流下領域へと誘導する誘導通路を発現させると共に、他方の揺動端において該誘導通路を実質的に消失せしめて該画面前方流下領域への遊技球の誘導を阻止する可動部材と
を、備えていることを特徴とするパチンコ機。
【請求項２】
遊技者により発射せしめられた遊技球が流下する遊技領域と、
該遊技領域において遊技者に視認可能に設けられて、遊技状況に応じた演出表示を行う演出表示装置と、
該演出表示装置の表示画面の前方に配された第一の透明板と、
該第一の透明板の前方に配されて、該第一の透明板との間において前記演出表示装置の表示画面の前方で遊技球が流下せしめられる画面前方流下領域を形成する第二の透明板と、
前記画面前方流下領域に設けられて、該画面前方流下領域を流下する遊技球の流下方向を変化せしめる障害部材と、
一軸回りに揺動可能に設けられて、一方の揺動端において前記遊技領域を流下する遊技球を前記画面前方流下領域へと誘導する誘導通路を発現させると共に、他方の揺動端において該誘導通路の通路幅を狭めて遊技球が一個通過できる程度にする可動部材と
を、備えていることを特徴とするパチンコ機。
【発明の詳細な説明】
【技術分野】
【０００１】
本発明は、遊技状況に応じた演出表示を行なう演出表示装置を備えたパチンコ機に関するものである。
【背景技術】
【０００２】
従来から、遊技領域には、センター役物に代表される各種構造物や遊技釘，風車等が設けられており、これら遊技釘や風車，各種構造物等に遊技球が当たることによって、遊技領域を流下する遊技球の流下方向が変化せしめられるようになっている。そして、このように遊技球の流下方向を変化せしめて、遊技球の流下方向を予測し難くすることによって、遊技領域での遊技球の挙動に対して遊技者を一喜一憂させることが可能となる。従って、遊技領域での遊技球の流下方向を予測し難くするということは、遊技者を楽しませるための一つの要因となっているのである。
【０００３】
ところで、パチンコ機というのは、一般的に、遊技領域の略中央において、その機種を特徴付けるようなセンター役物が配設されている。例えば、遊技状況に応じた演出表示を行なう演出表示装置の表示画面の周囲に配設されたセンター飾り等が、それである。
【０００４】
そこにおいて、近年のパチンコ機では、演出表示装置として大型の表示画面を備えたものを採用する傾向にあり、それに伴って、センター役物が大型化してきている。これにより、遊技領域においてセンター役物が占める割合が大きくなってきている。
【０００５】
それ故、近年のパチンコ機においては、遊技領域での遊技球の挙動に対して遊技者の興味を惹き付けることが難しくなってきている。
【０００６】
そこで、特許文献１（特開平１１−９７８０号公報）や特許文献２（特開２０００−５４０３号公報）に記載されているように、液晶表示画面の前方を遊技球が流下するようにすると共に、液晶表示画面の前方において遊技球の流下方向を変化せしめる部材を設けたパチンコ機が知られている。
【０００７】
しかしながら、ただ単に液晶表示画面の前方を遊技球が流下するようにしただけでは、液晶表示画面の前方を流下する遊技球の数が多い場合、液晶表示画面における演出表示が見難くなってしまうという問題がある。その一方、液晶表示画面の前方を流下する遊技球の数が少ないと、遊技球の挙動に対して遊技者の興味を惹き付け難くなってしまうという問題がある。
【０００８】
【特許文献１】特開平１１−９７８０号公報
【特許文献２】特開２０００−５４０３号公報
【発明の開示】
【発明が解決しようとする課題】
【０００９】
ここにおいて、本発明は上述の如き事情を背景として為されたものであり、その解決課題とするところは、遊技球の挙動に対して遊技者の興味を惹き付け易くして、遊技球の挙動を観る楽しみを遊技者に与えることが出来る、新規な構造のパチンコ機を提供することにある。
【課題を解決するための手段】
【００１０】
以下、このような課題を解決するために為された本発明の態様を記載する。なお、以下に記載の各態様において採用される構成要素は可能な限り任意の組み合わせで採用可能である。また、本発明の態様乃至は技術的特徴は、以下に記載のものに限定されることなく、明細書全体に記載されたもの、或いは、それらの記載から当業者が把握することが出来る発明思想に基づいて認識されるものであることが理解されるべきである。
【００１１】
パチンコ機に関する本発明の第一の態様は、（ａ）遊技者により発射せしめられた遊技球が流下する遊技領域と、（ｂ）該遊技領域において遊技者に視認可能に設けられて、遊技状況に応じた演出表示を行なう演出表示装置と、（ｃ）該演出表示装置の表示画面の前方に配された第一の透明板と、（ｄ）該第一の透明板の前方に配されて、該第一の透明板との間において前記演出表示装置の表示画面の前方で遊技球が流下せしめられる画面前方流下領域を形成する第二の透明板と、（ｅ）前記画面前方流下領域に設けられて、該画面前方流下領域を流下する遊技球の流下方向を変化せしめる障害部材と、（ｆ）一軸回りに揺動可能に設けられて、一方の揺動端において前記遊技領域を流下する遊技球を前記画面前方流下領域へと誘導する誘導通路を発現させると共に、他方の揺動端において該誘導通路を実質的に消失せしめて該画面前方流下領域への遊技球の誘導を阻止する可動部材とを、備えていることを、特徴とする。
【００１２】
このような本態様に従う構造とされたパチンコ機においては、可動部材が一方の揺動端に位置せしめられた状態で発現せしめられる誘導通路によって遊技領域を流下する遊技球が画面前方流下領域へと誘導されてくるようになっていることから、遊技球が流下する領域を有利に確保することが可能となる。
【００１３】
これにより、遊技球の挙動に対して遊技者の興味を惹き付け易くして、遊技球の挙動を観る楽しみを遊技者に与えることが可能となる。
【００１４】
また、本態様では、可動部材が他方の揺動端に位置せしめられた状態で誘導通路が実質的に消失せしめられて、遊技領域を流下する遊技球の画面前方流下領域への誘導が阻止されるようになっていることから、演出表示装置の表示画面の前方を遊技球が通過しないようにすることも可能となる。
【００１５】
これにより、演出表示装置の表示画面において行われる演出表示を遊技者が観やすいようにして、演出表示装置の表示画面において行われる演出表示を観る楽しみを遊技者に与えることが可能となる。
【００１６】
更にまた、本態様では、遊技球が画面前方流下領域を流下することが出来ない状態があることから、遊技球が画面前方流下領域を流下する状態が特別な状態であるとの印象を遊技者に与えることが可能となる。
【００１７】
これにより、画面前方流下領域を流下する遊技球の挙動に対して、遊技者の興味を惹き付け易くすることが可能となって、画面前方流下領域を流下する遊技球の挙動を観る楽しみを遊技者に与えることが可能となる。
【００１８】
そこにおいて、本態様では、画面前方流下領域において遊技球の流下方向を変化せしめる障害部材が設けられていることから、画面前方流下領域を流下する遊技球の挙動に対して、遊技者の興味を一層惹き付けることが可能となる。
【００１９】
また、本態様では、画面前方流下領域を遊技球が流下している状態下において、演出表示装置の表示画面において行われる演出表示と、画面前方流下領域を流下する遊技球の動きとを組み合わせた、従来にない斬新な演出によって遊技者を楽しませることも可能となる。
【００２０】
なお、本態様においては、画面前方流下領域の下方において遊技球が入球することにより遊技者に利益が付与される入球口が設けられていることが望ましく、それによって、画面前方流下領域を流下する遊技球の動きに対して、遊技者の興味をより一層惹き付けることが可能となる。
【００２１】
また、本態様において、「誘導通路を実質的に消失せしめる」とは、誘導通路をなくしてしまうことだけでなく、誘導通路の通路幅を遊技球の直径よりも小さくして、遊技球が誘導通路を通過できないようにすることをも意味する。
【００２２】
パチンコ機に関する本発明の第二の態様は、（ｇ）遊技者により発射せしめられた遊技球が流下する遊技領域と、（ｈ）該遊技領域において遊技者に視認可能に設けられて、遊技状況に応じた演出表示を行う演出表示装置と、（ｉ）該演出表示装置の表示画面の前方に配された第一の透明板と、（ｊ）該第一の透明板の前方に配されて、該第一の透明板との間において前記演出表示装置の表示画面の前方で遊技球が流下せしめられる画面前方流下領域を形成する第二の透明板と、（ｋ）前記画面前方流下領域に設けられて、該画面前方流下領域を流下する遊技球の流下方向を変化せしめる障害部材と、（ｌ）一軸回りに揺動可能に設けられて、一方の揺動端において前記遊技領域を流下する遊技球を前記画面前方流下領域へと誘導する誘導通路を発現させると共に、他方の揺動端において該誘導通路の通路幅を狭めて遊技球が一個通過できる程度にする可動部材とを、備えていることを、特徴とする。
【００２３】
このような本態様に従う構造とされたパチンコ機においては、可動部材が一方の揺動端に位置せしめられた状態で発現せしめられる誘導通路によって遊技領域を流下する遊技球が画面前方流下領域へと誘導されてくるようになっていることから、遊技球が流下する領域を有利に確保することが可能となる。
【００２４】
これにより、遊技球の挙動に対して遊技者の興味を惹き付け易くして、遊技球の挙動を観る楽しみを遊技者に与えることが可能となる。
【００２５】
また、本態様では、可動部材が他方の揺動端に位置せしめられた状態で誘導通路の通路幅が遊技球が一個通過出来る程度とされていることから、可動部材が一方の揺動端に位置せしめられた状態よりも、遊技領域を流下する遊技球が画面前方流下領域へと誘導され難くなっている。
【００２６】
これにより、演出表示装置の表示画面において行われる演出表示を遊技者が観やすいようにして、演出表示装置の表示画面において行われる演出表示を観る楽しみを遊技者に与えることが可能となる。
【００２７】
そこにおいて、本態様では、可動部材が他方の揺動端に位置せしめられた状態で誘導通路の通路幅が遊技球が一個通過できる程度とされていることから、可動部材が他方の揺動端に位置せしめられた状態で誘導通路が実質的に消失せしめられる場合に比して、可動部材が一方の揺動端から他方の揺動端に移動せしめられた際に遊技球が誘導通路で停留せしめられることを有利に回避することが可能となる。
【発明の効果】
【００２８】
上述の説明から明らかなように、本発明に従う構造とされたパチンコ機においては、可動部材を一方の揺動端に位置せしめることによって、遊技領域を流下する遊技球を画面前方流下領域に誘導することが可能となり、それによって、遊技球が流下する領域を有利に確保することが出来る一方、可動部材を他方の移動端に位置せしめることによって、遊技領域を流下する遊技球が画面前方流下領域へと誘導されないように、或いは、誘導され難くすることが可能となり、それによって、演出表示装置の表示画面において行われる演出表示を遊技者が観やすいようにして、演出表示装置の表示画面において行われる演出表示を観る楽しみを遊技者に与えることが可能となる。
【発明を実施するための最良の形態】
【００２９】
以下、本発明を更に具体的に明らかにするために、本発明の実施形態について、図面を参照しつつ、詳細に説明する。なお、以下の説明において、上下左右方向は、原則として、遊技者から見た上下左右方向をいうものとする。
【００３０】
図１には、本発明の第一の実施形態としてのパチンコ機１０が示されている。このパチンコ機１０は、縦長な方形状に枠組みされた外枠１２を備えており、かかる外枠１２には、その一側において開閉自在に軸支された状態で中枠１４が組み付けられている。
【００３１】
また、中枠１４の表側には、中枠１４に対して取り付けられた遊技盤１６（図２参照）を透視保護するためのガラス板を備えたガラス枠１８と、上皿２０を備えた皿板２２が、それぞれ、中枠１４の一側に開閉自在に軸支された状態で組み付けられている。更にまた、中枠１４には、上皿２０の下方において、下皿２４が設けられており、かかる下皿２４の右方には、操作ハンドル２６が突設されている。
【００３２】
そして、遊技者が操作ハンドル２６に対して回動可能に装着された操作レバー２８を回動操作することにより、上皿２０に貯留された遊技球が、図示しない球送り機構を介して、発射装置（図示せず）に送られた後、遊技盤１６に形成された遊技領域３０に向けて発射されるようになっている。
【００３３】
続いて、遊技盤１６の構造について、図２に基づいて説明する。遊技盤１６は、表面に合成樹脂製のシートが被着された遊技板３２を備えており、かかる遊技板３２の表面側にレールセット３４が固定されることによって略円形の遊技領域３０が形成されている。この遊技領域３０には、演出表示装置としての液晶表示器３６（図４参照）や始動入賞装置３８，特別可変入賞装置４０，風車４２，多数の遊技釘４４等が設けられている。
【００３４】
そして、遊技者が操作レバー２８を回動操作することによって遊技領域３０に向けて発射された後、遊技領域３０を流下する遊技球が始動入賞装置３８の入口４６に入球すると、所定数（本実施形態では、５個）の賞球が払い出されると共に、液晶表示器３６の表示画面４８において、複数の特別図柄（図示せず）の変動表示が開始され、それら複数の特別図柄の変動表示が所定時間行われる。その後、複数の特別図柄が特定の停止表示態様で停止表示されると、それまで特別可変入賞装置４０の入口５０を塞いでいた扉５２が予め定められた作動条件に従って、開閉作動せしめられるようになっている。
【００３５】
これにより、特別可変入賞装置４０の入口５０が開放されて、特別可変入賞装置４０の入口５０への遊技球の入球が可能となる。そして、遊技者は、特別可変入賞装置４０の入口５０に遊技球を入球させることにより、通常の遊技では得ることが困難な数の賞球を得ることが可能となる。
【００３６】
また、液晶表示器３６の表示画面４８の周囲には、液晶表示器３６の周囲を装飾するためのセンター役物５４が配設されている。このセンター役物５４は、図３及び図４にも示されているように、本体枠５６の周上の適数箇所において、取付板５８が外方に突出するようにして一体形成された構造とされている。
【００３７】
そして、センター役物５４は、遊技板３２に形成された取付孔（図示せず）に本体枠５６が挿通された状態で、取付板５８によって遊技板３２の表面側から取り付けられるようになっている。
【００３８】
また、本体枠５６に形成されている貫通孔６０における他方の開口端の大きさおよび形状は、液晶表示器３６の表示画面４８の大きさおよび形状に対応している。これにより、遊技盤１６（遊技板３２）の裏側に配設された液晶表示器３６の表示画面４８が本体枠５６に形成された貫通孔６０を通じて視認可能とされている。
【００３９】
そこにおいて、本体枠５６の前方には、アクリル樹脂等の透明な合成樹脂材によって形成されて、貫通孔６０の一方の開口端に対応した形状および大きさを有する第一の透明板６２が配設されている。このような第一の透明板６２は、貫通孔６０の一方の開口端を覆蓋するようにして、本体枠５６に固定されている。
【００４０】
具体的には、本実施形態では、貫通孔６０における一方の開口端内周縁部に形成された段差面６４に対して、第一の透明板６２の外周縁部が重ね合わせられた状態で、接着剤やネジ等を利用することにより、第一の透明板６２が本体枠５６に固定されるようになっている。
【００４１】
また、第一の透明板６２の前方（遊技者側）には、第二の透明板６６が配設されている。この第二の透明板６６も、第一の透明板６２と同様に、アクリル樹脂等の透明な合成樹脂材によって形成されており、特に本実施形態では、第二の透明板６６は第一の透明板６２と略同じ形状および大きさとされている。
【００４２】
このような第二の透明板６６は、板厚方向の投影において第一の透明板６２と重ね合わされるようにして、第一の透明板６２との対向面間に遊技球が通過可能な程度の隙間をあけて、第一の透明板６２の前方に配設されている。
【００４３】
そして、第一の透明板６２の前方に配設された第二の透明板６６は、第一の透明板６２と第二の透明板６６の間に設けられた複数本の連結棒６８によって、第一の透明板６２に連結されている。
【００４４】
このようにして、第一の透明板６２と第二の透明板６６が複数の連結棒６８によって相互に連結されることにより、第一の透明板６２と第二の透明板６６の対向面間には、画面前方流下領域７０が形成されている。
【００４５】
かかる画面前方流下領域７０の上方には、前方に向って突出するようにして本体枠５４に設けられた上側装飾部８８が位置せしめられている。そして、この上側装飾部８８によって、画面前方流下領域７０における上側の左右方向中央部分が覆い隠されている。
【００４６】
また、画面前方流下領域７０の左右両側には、可動部材としての羽根部材７２，７２が配設されている。なお、本実施形態では、これら一対の羽根部材７２，７２は、左右対称とされていることから、右側の羽根部材７２についてのみ説明することにし、左側の羽根部材７２については、その説明を省略することにする。
【００４７】
より詳細には、羽根部材７２は、図５にも示されているように、その正面視が略鉤形状とされており、画面前方流下領域７０の側方において起立せしめられた状態で、画面前方流下領域７０を側方の下端部分から上側の側方端部分に亘って覆い隠す被覆面７４を備えた構造とされている。
【００４８】
また、羽根部材７２の下端部分には、第一の透明板６２と第二の透明板６６の対向方向に延びる連結ロッド７６が設けられており、この連結ロッド７６の延出端には、係止歯７８が固定的に設けられている。そして、この係止歯７８に対して、ソレノイド８０のプランジャ８２に連結された被駆動部材８４に形成されている係止歯８６が噛み合わされている。
【００４９】
これにより、ソレノイド８０への通電が行われると、プランジャ８２の直線駆動力が被駆動部材８４に形成された係止歯８６と連結ロッド７６に設けられた係止歯７８によって連結ロッド７６の中心軸線回りの回転駆動力に変換されるようになっており、その結果、連結ロッド７６が中心軸回りに回転せしめられて、連結ロッド７６に連結されている羽根部材７２が、連結ロッド７６を揺動軸として、連結ロッド７６の軸線回りに揺動せしめられるようになっている。
【００５０】
そして、このように羽根部材７２が一軸回りに揺動せしめられることにより、図２に示されているように、画面前方流下領域７０において羽根部材７２によって覆い隠されていた部分が、羽根部材７２によって覆い隠されていない状態となる。
【００５１】
そこにおいて、本実施形態では、羽根部材７２が１０秒毎に１秒間だけ起立状態から傾動状態へと状態が変化せしめられるようになっている。また、本実施形態では、液晶表示器３６の表示画面４８において特別図柄の変動表示が行なわれている場合や特別可変入賞装置４０の入口５０への遊技球の入球が可能とされている特別遊技状態において、羽根部材７２が起立状態から傾動状態へと状態変化されることはない。
【００５２】
なお、図面上では明示されていないが、ソレノイド８０は、適当な部材によって、遊技板３２の裏側や本体枠５６に固定されるようになっている。また、図３においては、右側の羽根部材７２の駆動機構のみ破線で示している。
【００５３】
そして、本実施形態では、羽根部材７２が傾動状態とされている場合に、遊技領域３０を流下する遊技球が上側装飾部８８と羽根部材７２の間に形成された隙間９０を通ることによって、画面前方流下領域７０に誘導されてくるようになっており、その結果、画面前方流下領域７０を遊技球が流下するようになっている
【００５４】
そこにおいて、本実施形態では、羽根部材７２が起立状態とされている場合であっても、羽根部材７２と上側装飾部８８の間に形成された隙間９０は、遊技球が一個通過できる程度の大きさとされている。これにより、羽根部材７２が起立状態に位置せしめられている場合であっても、遊技領域３０を流下する遊技球が上側装飾部８８と羽根部材の間に形成された隙間９０を通ることによって、画面前方流下領域７０に誘導されてくるようになっており、その結果、画面前方流下領域７０を遊技球が流下するようになっている。
【００５５】
このことから明らかなように、本実施形態では、上側装飾部８８と羽根部材７２の間に形成された隙間９０によって、誘導通路が構成されている。
【００５６】
また、画面前方流下領域７０の下方には、前方に向って突出するようにして本体枠５６に設けられた振分部材としての下側装飾部９２が位置せしめられており、この下側装飾部９２によって、画面前方流下領域７０における下側の左右方向中央部分が覆い隠されている。
【００５７】
そこにおいて、本実施形態では、下側装飾部９２の上面は、左右両側に向かって緩やかに下る傾斜面とされている。また、本実施形態では、下側装飾部９２の左右方向中央部分には、前方（遊技者側）に向かって開口して上下方向に延びる案内溝９４が形成されている。
【００５８】
これにより、画面前方流下領域７０を流下してきた遊技球は、下側装飾部９２の上面に形成された傾斜面によって下側装飾部９２の外側から再び遊技領域３０を流下したり、或いは、下側装飾部９２に形成された案内溝９４を通ることによって下側装飾部９２の下方から再び遊技領域３０を流下したりすることがある。
【００５９】
すなわち、本実施形態では、画面前方流下領域７０を流下してきた遊技球は、下側装飾部９２（振分部材）によって振り分けられてから、再び遊技領域３０を流下することがあるようになっている。
【００６０】
そして、本実施形態では、下側装飾部９２に形成された案内溝９４の下方において、始動入賞装置３８が設けられている。その結果、画面前方流下領域７０を流下してきた後、下側装飾部９２に形成された案内溝９４を通ることにより、再び遊技領域３０を流下することになった遊技球は、始動入賞装置３８の入口４６に入球し易くなっている。
【００６１】
このような構造とされたパチンコ機１０においては、遊技者が操作レバー２８を回動操作することにより発射された遊技球は、遊技領域３０を流下している際において、上側装飾部８８と羽根部材７２の間に形成された隙間９０を通ることにより、画面前方流下領域７０の上方乃至は側方から、画面前方流下領域７０内へと誘導されてくる。
【００６２】
このようにして画面前方流下領域７０内に誘導されてきた遊技球は、連結棒６８に接触することによって流下方向が変化せしめられながら、画面前方流下領域７０を流下した後、再び遊技領域３０を流下するようになっている。
【００６３】
上述の説明から明らかなように、本実施形態では、連結棒６８によって障害部材が構成されている。また、本実施形態では、液晶表示器３６の表示画面４８において特別図柄の変動表示等が行われることによって、演出表示装置の表示画面において遊技状況に応じた演出表示が行われていることとなる。
【００６４】
従って、このような構造とされたパチンコ機１０においては、遊技領域３０を流下している遊技球が、上側装飾部８８と羽根部材７２の間に形成された隙間９０を通ることによって、画面前方流下領域７０を流下する場合がある。これにより、遊技球が流下する領域を有利に確保することが可能となり、その結果、流下する遊技球の挙動に対して遊技者の興味を惹き付けて、流下する遊技球の挙動を観る楽しみを遊技者に与えることが可能となる。
【００６５】
また、本実施形態では、羽根部材７２が起立状態とされている場合においても、羽根部材７２と上側装飾部８８の間に隙間９０が形成されており、しかも、その隙間９０が遊技球が一個通過できる程度の大きさとされていることから、羽根部材７２が傾動状態とされている場合よりも遊技球が画面前方流下領域７０を流下しないようにすることが可能となる。これにより、液晶表示器３６において行われる演出表示を遊技者が観やすいようにして、液晶表示器３６において行われる演出表示を観る楽しみを遊技者に与えることが可能となる。
【００６６】
更にまた、本実施形態では、羽根部材７２が起立状態とされている場合であっても、羽根部材７２と上側装飾部８８の間に遊技球が一個通過できる程度の大きさの隙間９０が形成されていることから、羽根部材７２が傾動状態から起立状態へと状態変化せしめられた場合に、羽根部材７２と上側装飾部８８の間に形成されている隙間９０を通過している遊技球が羽根部材７２と上側装飾部８８に挟まれて、隙間９０に停留してしまうことを有利に回避することが可能となる。
【００６７】
また、本実施形態では、画面前方流下領域７０の下方に設けられた下側装飾部９２に形成されている案内溝９４を通ってから再び遊技領域３０を流下する遊技球は、始動入賞装置３８の入口４６に入球し易くなっていることから、画面前方流下領域７０を流下する遊技球の動きに遊技者の興味を惹き付けることが可能となり、それによって、画面前方流下領域７０を流下する遊技球の動きを見る楽しみを遊技者に一層与えることが可能となる。
【００６８】
そして、このように画面前方流下領域７０を流下する遊技球の動きに興味を惹き付けることが可能となることに伴って、羽根部材７２の揺動に対しても遊技者の興味を惹き付けることが可能となる。これにより、羽根部材７２の揺動を観る楽しみを遊技者に与えることも可能となる。
【００６９】
特に、本実施形態では、画面前方流下領域７０を側方の下端部分から上側の側方端部分に亘って覆い隠すような大きな形状を有する羽根部材７２が採用されていることから、羽根部材７２の揺動に対して遊技者の興味を惹き付け易くすることが可能となる。
【００７０】
また、本実施形態では、画面前方流下領域７０に連結棒６８が設けられていることから、画面前方流下領域７０を流下する遊技球の流下方向が変化せしめられることとなり、それによって、画面前方流下領域７０を流下する遊技球の動きを観る楽しみを遊技者に与えることが可能となる。
【００７１】
続いて、本発明の第二の実施形態のパチンコ機について、図６に基づいて説明する。なお、以下の説明において、第一の実施形態と同様な構造とされた部材および部位については、図中に、第一の実施形態と同一の符号を付すことにより、それらの詳細な説明を省略する。
【００７２】
本実施形態のパチンコ機においては、図６に示されている遊技盤９８が採用されている。なお、図６においては、遊技領域３０に設けられている風車や遊技釘の図示は省略してある、
【００７３】
そして、本実施形態のパチンコ機では、第一の実施形態のパチンコ機（１０）に比して、センター役物１００の構造が異なっている。具体的には、第一の実施形態では、画面前方流下領域７０（図６では図示せず）を流下する遊技球は、画面前方流下領域７０を流下した後、再び遊技領域３０を流下するようになっていたが、本実施形態では、画面前方流下領域７０を流下した遊技球は、画面前方流下領域７０の下方に形成された三つの入球口１０２，１０４，１０６の何れかに入球した後、遊技盤９８の裏側に排出されるようになっている。
【００７４】
また、本実施形態では、上側装飾部１０８の形状が、第一の実施形態の上側装飾部（８８）の形状と異ならされている。これにより、羽根部材７２が傾動状態とされている場合には、図７に示されているように、羽根部材７２と上側装飾部１０８の間において、遊技球が通過できる程度の隙間１０９が形成されるようになっている一方、羽根部材７２が起立状態とされている場合には、図６に示されているように、上側装飾部１０８に接触するかしないかという程度まで羽根部材７２が上側装飾部１０８に近接せしめられることにより、羽根部材７２が傾動状態とされていた場合に上側装飾部８８との間に形成されていた遊技球が通過出来る程度の隙間１０９が消失するようになっている。
【００７５】
その結果、本実施形態では、羽根部材７２が起立せしめられた状態では、遊技領域３０を流下する遊技球が画面前方流下領域７０に誘導されないようになっている。
【００７６】
このことから明らかなように、本実施形態では、羽根部材７２が傾動状態とされている場合に上側装飾部１０８との間に形成される隙間１０９によって、誘導通路が構成されている。
【００７７】
更にまた、本実施形態では、遊技領域３０において、始動入賞装置（３８）と特別可変入賞装置（４０）が設けられておらず、その代わりに、センター役物１００の下方において、三つの始動入賞装置１１０，１１２，１１４が設けられている。
【００７８】
そして、これら三つの始動入賞装置１１０，１１２，１１４のうち左右両側に位置する始動入賞装置１１０，１１４の何れかに遊技球が入球した場合、羽根部材７２，７２が一秒間だけ傾動状態とされるようになっている。また、真中に位置する始動入賞装置１１２に遊技球が入球した場合、羽根部材７２，７２が一秒間だけ傾動状態となった後、起立状態が二秒間続き、その後、再び羽根部材７２，７２が一秒間だけ傾動状態とされるようになっている。
【００７９】
このように羽根部材７２，７２が傾動状態とされることにより、遊技領域３０を流下している遊技球が、羽根部材７２と上側装飾部１０８の間に形成された隙間１０９から画面前方流下領域７０に誘導されてきて、画面前方流下領域７０を流下することがある。そして、真中の入球口１０４に遊技球が入球すると、賞球が払い出されると共に、羽根部材７２，７２の揺動が所定回数繰り返される特別遊技状態へと遊技状態が移行するようになっている。なお、左右両側の入球口１０２，１０６の何れかに遊技球が入球した場合には、賞球の払い出しは行なわれるが、遊技状態が特別遊技状態に移行することはない。
【００８０】
このようなパチンコ機においては、羽根部材７２の状態を変化せしめることにより、遊技球が画面前方流下領域７０を流下したりしなかったりすることが出来るから、第一の実施形態と同様な効果を得ることが可能となる。
【００８１】
そこにおいて、本実施形態では、遊技球が画面前方流下領域７０を流下しないようにすることで、遊技球が画面前方流下領域７０を流下することが特別なことであるとの印象を遊技者に与えることが可能となり、それによって、画面前方流下領域を遊技球が通過する際の遊技球の動きを観る楽しみを遊技者に与えることが可能となる。
【００８２】
また、本実施形態では、羽根部材７２が傾動状態とされている場合のみ、遊技領域３０を流下する遊技球が画面前方流下領域７０に誘導されてくるようになっていることから、液晶表示器３６（図６では図示せず）の表示画面４８（同じく、図６では図示せず）において行なわれる演出表示と、画面前方流下領域７０を流下する遊技球の動きとを組み合わせた、従来にない斬新な演出を有利に実現することが可能となり、それによって、遊技者を一層楽しませることが可能となる。
【００８３】
以上、本発明の幾つかの実施形態について詳述してきたが、これらはあくまでも例示であって、本発明は、かかる実施形態における具体的な記載によって、何等、限定的に解釈されるものではない。
【００８４】
例えば、前記第一の実施形態では、羽根部材７２が起立せしめられた状態で、遊技領域３０を流下する遊技球の画面前方流下領域７０への誘導が許容されていたが、第二の実施形態のように、羽根部材７２が起立せしめられた状態で、遊技領域３０を流下する遊技球の画面前方流下領域７０への誘導が行われないようにしても良い。この場合、第二の実施形態と同様な効果を得ることが可能となる。
【００８５】
また、可動部材の数は、前記第一の実施形態や第二の実施形態のように、二つに限定されることはなく、例えば、一つであっても良い。
【００８６】
更にまた、可動部材は、前記第一の実施形態や第二の実施形態のように、羽根状のものに限定されることなく、例えば、扉状のものであっても良い。
【００８７】
また、前記第一および第二の実施形態では、画面前方流下領域７０の側方全体が羽根部材７２によって覆い隠されるようになっていたが、その必要は必ずしもない。
【００８８】
さらに、前記第一および第二の実施形態では、第一の透明板６２と第二の透明板６６を相互に連結する連結棒６８によって、障害部材が構成されていたが、例えば、遊技球が接触することによって一軸回りに回転せしめられる風車等によって、障害部材を構成することも、勿論、可能である。
【００８９】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００９０】
【図１】本発明の第一の実施形態のパチンコ機を示す正面図である。
【図２】第一の実施形態のパチンコ機に採用されている遊技盤の正面図である。
【図３】図２に示された遊技盤に取り付けられているセンター役物の正面図である。
【図４】図３に示されているセンター役物のＩＶ−ＩＶ方向の断面を示すと共に、センター役物と液晶表示器の位置関係を説明するための図面である。
【図５】羽根部材の駆動機構を説明するための斜視図である。
【図６】本発明の第二の実施形態に採用されている遊技盤を示す正面図である。
【図７】図６に示された遊技盤に設けられているセンター役物単体を示す正面図であって、羽根部材が起立せしめられた状態を示す図面である。
【符号の説明】
【００９１】
１０  パチンコ機
３０  遊技領域
３６  液晶表示器
４８  表示画面
６２  第一の透明板
６６  第二の透明板
６８  連結棒
７０  画面前方流下領域
７２  羽根部材
９６  誘導口
【図１】
2006296577.tif 000003
【図２】
2006296577.tif 000004
【図３】
2006296577.tif 000005
【図４】
2006296577.tif 000006
【図５】
2006296577.tif 000007
【図６】
2006296577.tif 000008
【図７】
2006296577.tif 000009